(57)【要約】【課題】簡単な操作で、任意のコンテンツ、自分のアノテーション及び他人のアノテーションを合成して画面表示できる。アノテーション合成方法及びアノテーション管理システムを提供する。【解決手段】コンテンツ管理サーバ１１は、ユーザ端末１０からのコンテンツ要求に対して、アノテーション管理サーバ１２から受信したアノテーション情報と該当コンテンツから作成したアノテーション一覧画面を応答し、アノテーション管理サーバ１２は、ユーザ端末１０からアノテーション合成画面要求を受信し、該当コンテンツ、複数のアノテーション及び該アノテーションと関連付いた描画位置情報をアノテーション合成サーバ１３に送信し、アノテーション合成サーバ１３は複数のアノテーションを、アノテーションの描画位置情報に従ってコンテンツ上に表示させたアノテーション合成画面を生成してユーザ端末１０に送信する。【選択図】  図９
2014146081.tif 000002
【特許請求の範囲】
【請求項１】
ユーザ端末、コンテンツ管理サーバ、アノテーション管理サーバ及びアノテーション合成サーバがネットワークを介して相互に接続可能に構成されたアノテーション管理システムにおけるアノテーション合成方法であって、
コンテンツ管理サーバにより、
ユーザ端末から、ユーザ情報と、コンテンツを一意に識別するコンテンツＩＤを含むコンテンツ要求を受信し、該要求から前記コンテンツＩＤを取得し、該コンテンツＩＤを含むアノテーション要求をアノテーション管理サーバに送信し、
前記アノテーション管理サーバにより、
前記コンテンツ管理サーバから前記アノテーション要求を受信し、アノテーション情報記憶部から複数のアノテーション情報を取得して前記コンテンツ管理サーバに送信し、
前記コンテンツ管理サーバにより、
アノテーション管理サーバから複数のアノテーション情報を受信し、コンテンツＩＤに基づきコンテンツ情報記憶部から該当コンテンツを取得し、該コンテンツ、前記受信したユーザ情報及び複数のアノテーション情報からアノテーション一覧画面を生成して前記ユーザ端末に送信し、
前記アノテーション管理サーバにより、
前記ユーザ端末から、アノテーションを一意に識別する複数のアノテーションＩＤ及びコンテンツを含む第１のアノテーション合成要求を受信し、該合成要求に含まれる複数のアノテーションＩＤと、前記アノテーション情報記憶部から前記各アノテーションＩＤと関連付いた描画位置情報を取得し、前記複数のアノテーションＩＤ、該各アノテーションＩＤと関連付いた描画位置情報及びコンテンツを含む第２のアノテーション合成要求をアノテーション合成サーバに送信し、
前記アノテーション合成サーバにより、
前記アノテーション管理サーバから前記第２のアノテーション合成要求を受信し、該要求に含まれるコンテンツ上に、前記描画位置情報に従って複数のアノテーションを表示したアノテーション合成画面を生成して前記ユーザ端末に送信する、
ことを特徴とするアノテーション合成方法。
【請求項２】
前記アノテーション管理サーバにより、
前記ユーザ端末から、ユーザ毎に作成されたアノテーションを一意に識別する複数のアノテーションＩＤ及びコンテンツを含む第１のアノテーション合成要求を受信し、該合成要求に含まれる複数のアノテーションＩＤと、前記アノテーション情報記憶部から前記各アノテーションＩＤと関連付いた描画位置情報を取得し、前記複数のアノテーションＩＤ、該各アノテーションＩＤと関連付いた描画位置情報及びコンテンツを含む第２のアノテーション合成要求を前記アノテーション合成サーバに送信する、
ことを特徴とする請求項１に記載のアノテーション合成方法。
【請求項３】
ユーザ端末、コンテンツ管理サーバ、アノテーション管理サーバ及びアノテーショ
ン合成サーバがネットワークを介して相互に接続可能に構成されたアノテーション管
理システムであって、
前記コンテンツ管理サーバは、
前記ユーザ端末から、ユーザ情報と、コンテンツを一意に識別するコンテンツＩＤを含むコンテンツ要求を受信し、該要求から前記コンテンツＩＤを取得し、該コンテンツＩＤを含むアノテーション要求をアノテーション管理サーバに送信し、
前記アノテーション管理サーバは、
前記コンテンツ管理サーバから前記アノテーション要求を受信し、アノテーション情報記憶部から複数のアノテーション情報を取得して前記コンテンツ管理サーバに送信し、
前記コンテンツ管理サーバは、
アノテーション管理サーバから複数のアノテーション情報を受信し、コンテンツＩＤに基づきコンテンツ情報記憶部から該当コンテンツを取得し、該コンテンツ、前記受信したユーザ情報及び複数のアノテーション情報からアノテーション一覧画面を生成して前記ユーザ端末に送信し、
前記アノテーション管理サーバは、
前記ユーザ端末から、アノテーションを一意に識別する複数のアノテーションＩＤ及びコンテンツを含む第１のアノテーション合成要求を受信し、該合成要求に含まれる複数のアノテーションＩＤと、前記アノテーション情報記憶部から前記各アノテーションＩＤと関連付いた描画位置情報を取得し、前記複数のアノテーションＩＤ、該各アノテーションＩＤと関連付いた描画位置情報及びコンテンツを含む第２のアノテーション合成要求をアノテーション合成サーバに送信し、
前記アノテーション合成サーバは、
前記アノテーション管理サーバから前記第２のアノテーション合成要求を受信し、該要求に含まれるコンテンツ上に、前記描画位置情報に従って複数のアノテーションを表示したアノテーション合成画面を生成して前記ユーザ端末に送信する、
ことを特徴とするアノテーション管理システム。
【請求項４】
前記アノテーション管理サーバは、
前記ユーザ端末から、ユーザ毎に作成されたアノテーションを一意に識別する複数のアノテーションＩＤ及びコンテンツを含む第１のアノテーション合成要求を受信し、該合成要求に含まれる複数のアノテーションＩＤと、前記アノテーション情報記憶部から前記各アノテーションＩＤと関連付いた描画位置情報を取得し、前記複数のアノテーションＩＤ、該各アノテーションＩＤと関連付いた描画位置情報及びコンテンツを含む第２のアノテーション合成要求を前記アノテーション合成サーバに送信する、
ことを特徴とする請求項３に記載のアノテーション管理システム。
【発明の詳細な説明】
【技術分野】
【０００１】
本発明は、コンテンツと複数のアノテーションを合成するアノテーション合成方法及びこれを実施するアノテーション管理システムに関する。
【背景技術】
【０００２】
近年コンテンツの電子化が進み、コンテンツの付加情報（アノテーション）を容易に管理し、テキストデータとして共有できるようになってきている。また、入力インタフェースとして手書き入力可能なユーザインタフェース装置の登場により、テキスト情報だけでなく、下線・マーク・図形・手書きメモなどの紙媒体と同様のアノテーション入力が可能となってきている。例えば、複数のコンテンツをコンテンツ集合として指定するコンテンツ集合指定手段と、該コンテンツ集合指定手段にて指定された複数のコンテンツからなるコンテンツ集合を管理するコンテンツ集合管理手段と、各コンテンツに与えられた付加的情報を管理する付加的情報管理手段とを備え、コンテンツ集合管理手段にて管理されるコンテンツ集合に属する各コンテンツに対して与えられた付加的情報を特定できるようにしたコンテンツと付加情報の管理システムが提案されている（例えば特許文献１参照）。
【先行技術文献】
【特許文献】
【０００３】
【特許文献１】特許第３８７７０８１号公報
【発明の概要】
【発明が解決しようとする課題】
【０００４】
昨今、紙媒体と同様に手書き入力したアノテーションを複数のユーザで共有したいというニーズがある。しかしながら、上記従来技術では、自分のアノテーションや他人のアノテーションのみしか閲覧することができず、自分のアノテーションと他人のアノテーションを合成して閲覧することができない。
【０００５】
本発明は、簡単な操作で、任意のコンテンツ、自分のアノテーション及び他人のアノテーションを合成して画面表示するアノテーション合成方法及びこれを実施するアノテーション管理システムを提供することを目的とする。
【課題を解決するための手段】
【０００６】
本発明の代表的な一例は、以下の通りである。即ち、本発明は、ユーザ端末、コンテンツ管理サーバ、アノテーション管理サーバ及びアノテーション合成サーバがネットワークを介して相互に接続可能に構成されたアノテーション管理システムにおけるアノテーション合成方法である。
【０００７】
コンテンツ管理サーバにより、ユーザ端末から、ユーザ情報と、コンテンツを一意に識別するコンテンツＩＤを含むコンテンツ要求を受信し、該要求から前記コンテンツＩＤを取得し、該コンテンツＩＤを含むアノテーション要求をアノテーション管理サーバに送信し、
前記アノテーション管理サーバにより、前記コンテンツ管理サーバから前記アノテーション要求を受信し、アノテーション情報記憶部から複数のアノテーション情報を取得して前記コンテンツ管理サーバに送信し、
前記コンテンツ管理サーバにより、アノテーション管理サーバから複数のアノテーション情報を受信し、コンテンツＩＤに基づきコンテンツ情報記憶部から該当コンテンツを取得し、該コンテンツ、前記受信したユーザ情報及び複数のアノテーション情報からアノテーション一覧画面を生成して前記ユーザ端末に送信し、
前記アノテーション管理サーバにより、
前記ユーザ端末から、アノテーションを一意に識別する複数のアノテーションＩＤ及びコンテンツを含む第１のアノテーション合成要求を受信し、該合成要求に含まれる複数のアノテーションＩＤと、前記アノテーション情報記憶部から前記各アノテーションＩＤと関連付いた描画位置情報を取得し、前記複数のアノテーションＩＤ、該各アノテーションＩＤと関連付いた描画位置情報及びコンテンツを含む第２のアノテーション合成要求をアノテーション合成サーバに送信し、
前記アノテーション合成サーバにより、
前記アノテーション管理サーバから前記第２のアノテーション合成要求を受信し、該要求に含まれるコンテンツ上に、前記描画位置情報に従って複数のアノテーションを表示したアノテーション合成画面を生成して前記ユーザ端末に送信する。
【発明の効果】
【０００８】
本発明によれば、簡単な操作で、任意のコンテンツ、自分のアノテーション及び他
人のアノテーションを合成して画面表示できる。
【図面の簡単な説明】
【０００９】
【図１】本実施形態に係るアノテーション管理システム１の全体構成例を示す図である。
【図２】コンテンツ管理サーバ１１のハードウェア構成例を示す図である。
【図３】アノテーション管理サーバ１２のハードウェア構成例を示す図である。
【図４】アノテーション合成サーバ１３のハードウェア構成例を示す図である。
【図５】ユーザテーブル２１５の構成例を示す図である。
【図６】コンテンツテーブル２１６の構成例を示す図である。
【図７】アノテーションテーブル３１４の構成例を示す図である。
【図８】アノテーション管理テーブル３１５の構成例を示す図である。
【図９】コンテンツと複数のアノテーションを合成する処理を示すシーケンス図である。
【図１０】コンテンツ一覧画面１０００の例を示す図である。
【図１１】アノテーション一覧画面１１００の例を示す図である。
【図１２】アノテーション合成画面１２００の例を示す図である。
【図１３】編集後のアノテーション合成画面１３００の例を示す図である。
【発明を実施するための形態】
【００１０】
以下、実施例を図面を用いて説明する。
【００１１】
図１は、本実施例に係るアノテーション管理システム１の全体構成例を示す図である。アノテーション管理システム１は、複数のユーザ端末１０と、コンテンツ管理サーバ１１と、アノテーション管理サーバ１２と、アノテーション合成サーバ１３がネットワーク１４に接続されて構成されるコンピュータネットワークシステムである。コンテンツ管理サーバ１１は、ユーザ認証情報とコンテンツ情報を管理している。アノテーション管理サーバ１２は、コンテンツ管理サーバ１１で管理しているコンテンツ情報とユーザ端末１０で作成されたアノテーションを関連付けて管理している。管理情報には、アノテーションだけでなく、コンテンツ上におけるアノテーションの描画位置情報も含む。アノテーション合成サーバ１３は、コンテンツとこれに関連付く複数のアノテーションを合成する。  図２は、コンテンツ管理サーバ１１のハードウェア構成例を示す図である。コンテンツ管理サーバ１１は、コントローラ（制御部）２００と、記憶部２０１と、ネットワークインタフェース部２０４とを具備する。各部はバス（ＢＵＳ）によって接続されている。記憶部２０１には、コンテンツ登録機能２１１、コンテンツ取得機能２１２、コンテンツ一覧画面送信機能２１３及びユーザ認証機能２１４からなるプログラム２１０と、ユーザテーブル２１５と、コンテンツテーブル２１６が格納されている。
【００１２】
コンテンツ登録機能２１１は、ユーザによりユーザ端末１０を用いて入力された、コンテンツ情報をコンテンツテーブル２１６に登録する機能を有する。コンテンツ取得機能２１２は、ユーザ端末１０からのシステム表示要求の受信を契機に、コンテンツテーブル２１６からコンテンツを取得し、コンテンツ一覧画面をユーザ端末１０に送信する機能を有する。コンテンツ一覧画面送信機能２１３は、コンテンツ一覧画面をユーザ端末１０に送信する機能を有する。ユーザ認証機能２１４、ユーザを認証する機能を有する。次にユーザテーブル２１５とコンテンツテーブル２１６の構成について説明する。
【００１３】
図５は、ユーザテーブル２１５のデータ構成例を示す図である。ユーザテーブル２１５には、あらかじめ、管理者によりユーザ端末１０を用いて入力された、ユーザ認証に必要な情報（ユーザＩＤ５０１、パスワード５０２）やユーザ名を示す情報５０３が記憶されている。
【００１４】
図６は、コンテンツテーブル２１６のデータ構成例を示す図である。コンテンツテーブル２１６には、コンテンツを一意に識別する情報（以下、コンテンツＩＤと記す）６０１と、コンテンツ名称６０２と、コンテンツ実体を示すファイル６０３とがそれぞれ対応付けられて記憶されている。コンテンツ名称６０２とファイル６０３は、ユーザ端末１０に表示されたコンテンツ登録画面でユーザにより入力され、コンテンツテーブル２１６に格納される。その際に、コンテンツＩＤ６０１も採番され、コンテンツテーブル２１６に格納される。
【００１５】
図３は、アノテーション管理サーバ１２のハードウェア構成例を示す図である。アノテーション管理サーバ１２は、コントローラ（制御部）３００と、記憶部３０１と、ネットワークインタフェース部３０４とを具備する。各部はバス（ＢＵＳ）によって接続されている。記憶部３０１には、アノテーション登録機能３１１、アノテーション取得機能３１２及びアノテーション送信機能３１３からなるプログラム３１０と、アノテーションテーブル３１４と、アノテーション管理テーブル３１５が格納されている。
【００１６】
アノテーション登録機能３１１は、ユーザによりユーザ端末１０を用いて入力された、アノテーション情報をアノテーションテーブル３１４に登録する機能を有する。アノテーション取得機能３１２は、アノテーションテーブル３１４からアノテーションを取得する機能を有する。アノテーション送信機能３１３は、アノテーション取得機能３１２により取得されたアノテーションをコンテンツ管理サーバ１１に送信する機能を有する。次にアノテーションテーブル３１４とアノテーション管理テーブル３１５の構成について説明する。
【００１７】
図７は、アノテーションテーブル３１４のデータ構成例を示す図である。アノテーションテーブル３１４は、アノテーションを一意に識別する情報（以下、アノテーションＩＤ）７０１と、ユーザにより作成されたアノテーション（ファイル）７０２と、アノテーションを登録した日付７０３と、コンテンツ上のアノテーションの描画位置情報７０４とをそれぞれ対応付けて記憶する。アノテーションＩＤ７０１は、アノテーション登録機能３１１によりユーザ端末１０から受信したアノテーションをアノテーションテーブル３１４に登録する際に採番される。描画位置情報７０４は、アノテーション表示画面１２０１（図１２）を複数のエリアに分割し、取得した各エリアの情報を表す。例えば、アノテーション表示画面１２００のコンテンツ表示部１２０１を４分割にした場合は、左上を“１”、右上を“２”、右下を“３”、左下を“４”という情報が描画位置情報７０４として取得される。
【００１８】
図８は、アノテーション管理テーブル３１５のデータ構成例を示す図である。アノテーション管理テーブル３１５は、アノテーションＩＤ８０１と、コンテンツＩＤ８０２と、ユーザＩＤ８０３とをそれぞれ対応付けて記憶する。ユーザ端末１０からアノテーション合成画面の要求を受信した際、アノテーション合成画面の要求に含まれるアノテーションＩＤ、コンテンツＩＤ、ユーザＩＤがアノテーション管理テーブル３１５に格納される。
【００１９】
図４は、アノテーション合成サーバ１３のハードウェア構成例を示す図である。アノテーション合成サーバ１３は、コントローラ（制御部）４００と、記憶部４０１と、ネットワークインタフェース部４０４とを具備する。各部はバス（ＢＵＳ）によって接続されている。記憶部４０１には、アノテーション合成機能４１１及び描画位置決定機能４１２からなるプログラム４１０が格納されている。
【００２０】
アノテーション合成機能４１１は、コンテンツと複数のアノテーションを合成したアノテーション合成画面を生成し、ユーザ端末１０に送信する機能を有する。描画位置決定機能４１２は、コンテンツ上のアノテーションの描画位置を決定する機能を有する。
【００２１】
図９は、コンテンツと複数のアノテーションを合成する処理を示すシーケンス図である。
【００２２】
先ずユーザ端末１０は、ユーザによって入力されたユーザＩＤ及びパスワードを含む認証要求をネットワーク１４を介してコンテンツ管理サーバ１１に送信する（ステップＳ９０１）。
【００２３】
コンテンツ管理サーバ１１は、認証要求からユーザＩＤ及びパスワードを抽出し、抽出したユーザＩＤ、パスワードと、ユーザテーブル２１５に記憶されているユーザ認証情報を照合してユーザの認証を行い（ステップＳ９０２）、認証結果（認証成功又は認証失敗）をネットワーク１４を介してユーザ端末１０に送信する（ステップＳ９０３）。
【００２４】
認証結果が認証成功を示す場合、ユーザ端末１０は、システム表示要求をネットワーク１４を介してコンテンツ管理サーバ１１に送信する（ステップＳ９０４）。
【００２５】
コンテンツ管理サーバ１１は、ユーザ端末１０からネットワーク１４を介してシステム表示要求を受信すると、コンテンツテーブル２１６の記憶情報を用いてコンテンツ一覧画面を生成し、これをネットワーク１４を介してユーザ端末１０に送信する（ステップＳ９０５）。
【００２６】
図１０は、コンテンツ一覧画面１０００の例を示す図である。コンテンツ一覧画面１０００は、コンテンツ一覧を表示するコンテンツ一覧表示部１００１と、コンテンツ一覧から、表示させたいコンテンツを選択するための操作を受付ける選択ボタン１００２と、コンテンツの選択操作をキャンセルするためのキャンセルボタン１００３で構成されている。
【００２７】
図９に戻り説明を続ける。ユーザ端末１０は、コンテンツ管理サーバ１１からネットワーク１４を介してコンテンツ一覧画面１０００を受信すると、これをディスプレイ等の表示部に表示する。ユーザがコンテンツ一覧表示部１００１に表示されたコンテンツ一覧からコンテンツを選択し、選択ボタン１００２を押下する操作を行うと、ユーザ端末１０は、ユーザＩＤと、選択されたコンテンツのコンテンツＩＤを含むコンテンツ要求をネットワーク１４を介してコンテンツ管理サーバ１１に送信する（ステップＳ９０６）。
【００２８】
コンテンツ管理サーバ１１は、コンテンツ管理サーバ１１からネットワーク１４を介してコンテンツ要求を受信すると、アノテーション要求をネットワーク１４を介してアノテーション管理サーバ１２に送信する（ステップＳ９０７）。
【００２９】
アノテーション管理サーバ１２は、コンテンツ管理サーバ１１からネットワーク１４を介してアノテーション要求を受信すると、アノテーションテーブル３１４の各レコードに記憶されている複数のアノテーション情報（アノテーションＩＤ７０１、ファイル７０２、日付７０３）を取得し、これをネットワーク１４を介してコンテンツ管理サーバ１１に送信する（ステップＳ９０８）。
【００３０】
コンテンツ管理サーバ１１は、アノテーション管理サーバ１２からネットワーク１４を介して複数のアノテーション情報を受信すると、ステップＳ９０６で受信したコンテンツＩＤに基づきコンテンツテーブル２１６を検索し、該当ファイル（コンテンツ実体）６０３を取得し、ユーザＩＤ、コンテンツＩＤ、取得したファイル６０３及びステップＳ９０８で受信した複数のアノテーション情報、からアノテーション一覧画面を生成し、これをネットワーク１４を介してユーザ端末１０に送信する（ステップＳ９０９）。
【００３１】
図１１は、アノテーション一覧画面の例を示す図である。アノテーション一覧画面１１００は、ステップＳ９０６で選択されたコンテンツを表示するコンテンツ表示部１１０１と、アノテーション一覧１１０３をポップアップ表示するための操作を受付ける追加ボタン１１０２で構成される。アノテーション一覧１１０３には、アノテーションＩＤ、ユーザＩＤ、ファイル（アノテーション）を登録した日付から構成されるアノテーションの一覧が表示される。尚、ここでは、ユーザ情報としてユーザＩＤを表示するようしたが、ユーザ名を表示させるようにしても良い。
【００３２】
図９に戻り説明を続ける。アノテーション一覧画面１１００にポップアップ表示されたアノテーション一覧１１０３より、複数のアノテーションを選択（複数の選択も可能）し、表示ボタン１１０４を押下する操作を行うと、ユーザ端末１０は、アノテーションＩＤ、アノテーション、コンテンツＩＤ、コンテンツ及びユーザＩＤを含むアノテーション合成画面要求１をネットワーク１４を介してアノテーション管理サーバ１２に送信する（ステップＳ９１０）。
【００３３】
アノテーション管理サーバ１２は、ユーザ端末１０からネットワーク１４を介してアノテーション合成画面要求１を受信すると、アノテーションＩＤ、コンテンツＩＤ、ユーザＩＤをアノテーション管理テーブル３１５に格納する（ステップＳ９１１）。次にアノテーション管理サーバ１２は、アノテーションＩＤに基づきアノテーションテーブル３１４を検索して該当描画位置情報７０４を取得し、コンテンツ、アノテーション、アノテーションＩＤ及びアノテーションＩＤと関連付けた描画位置情報を含むアノテーション合成要求２をネットワーク１４を介してアノテーション合成サーバ１３に送信する（ステップＳ９１２）。
【００３４】
アノテーション合成サーバ１３は、アノテーション管理サーバ１２からネットワーク１４を介してアノテーション合成要求２を受信すると、図１２に示すようなコンテンツ上にアノテーション１２０４、１２０５を表示したアノテーション合成画面１２００を生成し、ネットワーク１４を介してユーザ端末１０に送信する（ステップＳ９１３）。具体的には、先ずアノテーション合成サーバ１３は、アノテーション描画位置情報から複数のアノテーションの描画位置を決定する。その際、それぞれのアノテーションの位置が同一の場合、コンテンツ上の別の領域に表示するために、アノテーション描画位置情報の上下左右に空きがあるか否かを判定する。判定の結果、空きがあれば、アノテーション合成サーバ１３は、該当アノテーションの位置情報をその空き位置に表示させる。一方、空きがなければ、アノテーション合成サーバ１３は、同一位置にオーバレイ表示を行う。アノテーション合成サーバ１３は、以上の処理により作成したアノテーション合成画面１２００をネットワーク１４を介してユーザ端末１０に送信する。
【００３５】
図１２は、アノテーション合成画面１２００の例を示す図である。アノテーション合成画面１２００は、コンテンツ上にアノテーションが表示されたアノテーション表示部１２０１と、コンテンツ上にアノテーションを加筆するための操作を受付ける編集ボタン１２０２と、アノテーション表示部１２０１に表示されたコンテンツ及びアノテーションを一つのアノテーション情報として登録するための操作を受付ける登録ボタン１２０３で構成される。
【００３６】
図１２に示すアノテーション合成画面１２００において、ユーザが編集ボタン１２０２を押下する操作が行うことで、図１３に示すようにコンテンツ上に新たなアノテーション１３０１を加筆することができる。加筆後、ユーザが登録ボタン１２０３を押下する操作を行うことで、アノテーション表示部１２０１に表示されているアノテーション１２０４、１２０５と加筆したアノテーション１３０１を包含して一つのアノテーション情報として登録できる。
【００３７】
以上、本発明の一実施例について説明した。
【００３８】
上記実施例によれば、簡単な操作で、任意のコンテンツ、自分のアノテーション及
び他人のアノテーションを合成して画面表示できる。また、その際にコンテンツ内の
特定位置で複数アノテーションが重ならないように描画位置を判定しながら、視認性
を高く確保した状態で表示することで、効率よくアノテーションを閲覧することがで
きる。また、アノテーション合成画面で新たにアノテーションを加筆して登録するこ
とで、より付加価値の高い情報として管理することも可能となる。
【００３９】
以上、本発明の実施例を説明したが、本発明はこれに限定されるものではなく、その要旨を逸脱しない範囲で種々変更可能である。
【符号の説明】
【００４０】
１０・・・ユーザ端末、１１・・・コンテンツ管理サーバ、１２・・・アノテーション管理サーバ、１３・・・アノテーション合成サーバ、１４・・・ネットワーク、２００、３００、４００・・・制御部、２０１、３０１、４０１・・・記憶部、２０４、３０４、４０４・・・ネットワークインターフェース部。
【図１】
2014146081.tif 000003
【図２】
2014146081.tif 000004
【図３】
2014146081.tif 000005
【図４】
2014146081.tif 000006
【図５】
2014146081.tif 000007
【図６】
2014146081.tif 000008
【図７】
2014146081.tif 000009
【図８】
2014146081.tif 000010
【図９】
2014146081.tif 000011
【図１０】
2014146081.tif 000012
【図１１】
2014146081.tif 000013
【図１２】
2014146081.tif 000014
【図１３】
2014146081.tif 000015